(57)【要約】【課題】２個の飲料缶を連結する景品収容容器をブリスター製としても、十分な強度を有するようにして、飲料缶から容易には外れないようにした景品収容容器を提供する。【解決手段】景品収容容器下面が、連結する飲料缶のそれぞれに密嵌する嵌合部と両嵌合部を連結する連結部とを具備し、景品収容容器上面は景品を収容し得る凹状の収容部に形成され、該収容部内壁外面と対向する前記景品収容容器外壁内面とは、前記連結部の少なくとも一部では一体化し、前記連結部上部は、対向する凹状部に形成することによって、前記両嵌合部の拡開を防止し、飲料缶から外れ難くした。【選択図】        図３
2007062743.tif 000002
【特許請求の範囲】
【請求項１】
景品収容容器下面が、連結する飲料缶のそれぞれに密嵌する嵌合部と両嵌合部を連結する連結部とを具備し、景品収容容器上面は景品を収容し得る凹状の収容部に形成され、該収容部内壁外面と対向する前記景品収容容器外壁内面とは、前記連結部の少なくとも一部では一体化し、前記収容部を挟んで対向する連結部上部には、凹状部が形成されていることを特徴とする飲料缶に取着するブリスター景品収容容器。
【請求項２】
前記凹状の収容部の高さよりも、該凹状の収容部の縦横の短辺を大きく形成する請求項１記載の景品収容容器。
【請求項３】
前記凹状の収容部の外壁となる景品収容容器外面には、強度を向上させるための凹部若しくは凸部が形成されている請求項２記載の景品収容容器。
【請求項４】
前記両嵌合部は、飲料缶の巻き締め縁に着脱自在に嵌合係止する半リング状凹部と、該半リング状凹部に隣接する凸条部と、該凸条部から下端に向けて拡開する拡開部とを具備し、前記凸条部には、間隔付けて多数の凸起が形成されている請求項３記載の景品収容容器。
【請求項５】
前記半リング状凹部の外周凸条に嵌合する凹条と、前記拡開部との間の凸条部外周の凹条に嵌合する凹条とを内周面に形成したブリスター蓋体を、前記景品収容容器に着脱し得るように嵌合した請求項４記載の景品収容容器。
【請求項６】
前記景品収容容器又は前記ブリスター蓋体の下端に、引っ張り片を連設する請求項５記載の景品収容容器。
【発明の詳細な説明】
【技術分野】
【０００１】
この発明は、２個の飲料缶に着脱し得るように連結する安価なブリスター景品収容容器に関する。
【背景技術】
【０００２】
景品を収容した容器を、飲料缶に装着した景品付き飲料缶は、従来から公知である。しかして、従来の景品付き飲料缶は、１個の飲料缶に装着するものであった。
【０００３】
最近になって２個の飲料缶に景品を収容した容器を連結装着して販売することが行われるようになった。このようにすることによって、従来コスト上の理由から収容できなかった、より価値のある景品を収容することが出来るからである。
【０００４】
しかしながら、従来の２個の飲料缶を連結した景品収容容器は、プラスチック成形により製造されたものであったので、コスト高になる問題があった。
【発明の開示】
【発明が解決しようとする課題】
【０００５】
１個の飲料缶に装着する景品収容容器であれば、安価なブリスター製とすることも可能であるが、２個の飲料缶を連結する景品収容容器とすると、ブリスターでは変形し易いので、飲料缶から外れ易くなることから、ブリスター製とすることは出来なかった。
【０００６】
この発明はこのような問題点を解決しようとするものであり、２個の飲料缶を連結する景品収容容器をブリスター製としても、十分な強度を有するようにして、飲料缶から容易には外れないようにした景品収容容器を提供することを目的とする。
【課題を解決するための手段】
【０００７】
上記目的を達成するため、本発明者は鋭意研究の結果、景品収容容器下面が、連結する飲料缶のそれぞれに密嵌し得る半円状の嵌合部を連結部で連結した形状とし、景品収容容器上面は景品を収容し得る凹状の収容部に形成し、該収容部内壁外面と対向する前記景品収容容器外壁内面とは、前記連結部の少なくとも一部では一体化し、前記連結部上部は、対向する凹状部に形成することによって、飲料缶から容易には外れ難い強度を付与し得ることを見出し、本発明に到達した。
【０００８】
即ち本発明は、景品収容容器下面が、連結する飲料缶のそれぞれに密嵌する嵌合部と両嵌合部を連結する連結部とを具備し、景品収容容器上面は景品を収容し得る凹状の収容部に形成され、該収容部内壁外面と対向する前記景品収容容器内面とは、前記連結部の少なくとも一部では一体化し、前記連結部上部は、前記収容部を挟んで対向する凹状部に形成したことを特徴とする。
【０００９】
前記凹状の収容部の高さよりも、凹状の収容部の縦横の短辺を大きく形成することによって、両嵌合部が更に変形し難くなるので、更に容易には外れ難くなる（請求項２）。
【００１０】
前記凹状の収容部の外壁となる景品収容容器外面には、強度を向上させるための凹部若しくは凸部を形成することによって、更に変形し難くなり、更に容易には外れ難くなる（請求項３）。
【００１１】
前記両嵌合部は、飲料缶の巻き締め縁に着脱自在に嵌合係止する半リング状凹部と、該半リング状凹部に隣接する凸条部と、該凸条部から下端に向けて拡開する拡開部とを具備し、前記凸条部には、間隔付けて多数の凸起を形成することによって、更に容易には外れ難くなる（請求項４）。
【００１２】
前記半リング状凹部の外周凸条に嵌合する凹条と、前記拡開部との間の凸条部外周の凹条に嵌合する凹条とを内周面に形成したブリスター蓋体を、前記景品収容容器に着脱し得るように構成すると、蓋体で両嵌合部の拡がりを防止するので、プラスチック成形品に近い外れ難さを付与することができる（請求項５）。
【００１３】
前記景品収容容器又は前記ブリスター蓋体の下端に、引っ張り片を連設すると、引っ張り片を持ち上げることによって、容易に飲料缶から取り外すことができる。
【００１４】
要するに本発明の景品収容容器は、対向する連結部の少なくとも一部では一体化し、連結部上部に凹状部を形成することによって、密嵌する嵌合部の拡開を防止し、飲料缶から容易には外れ難くしたことを要旨とするものである。
【発明の効果】
【００１５】
本発明によれば、景品収容容器下面を、連結する飲料缶のそれぞれに密嵌し得る半円状の嵌合部を連結した形状とし、景品収容容器上面の凹状の収容部内壁外面と前記景品収容容器外壁内面とは、連結部の少なくとも一部では一体化し、前記連結部上部は、対向する凹状部に形成することによって、飲料缶から容易には外れ難い強度を付与し、ブリスターから初めて複数の飲料缶に装着する景品収容容器を形成することに成功し、極めて低コストでこの景品収容容器を供することを可能にするという絶大な効果を奏する。
【発明を実施するための最良の形態】
【００１６】
次に、本発明の実施の形態を図面に基づいて説明する。
【００１７】
図１及び図２は、本発明の一実施例を示すものであり、ブリスターで形成した景品収容容器１の下面開口は、連結する飲料缶２，２´のそれぞれに密嵌する半円状の嵌合部３，３´と両嵌合部を連結する連結部４，４´とから形成されている。半円状の嵌合部３，３´は、１８０°以上、好ましくは１８０〜２７０°の円弧状に形成するのが良い。
【００１８】
景品収容容器１上面は、景品を収容し得る凹状の長方形収容部５に形成され、該収容部内壁外面６と対向する景品収容容器外壁内面（収容部外壁内面）７とは、前記連結部４，４´の少なくとも一部で一体化している。
【００１９】
前記対向する連結部上部には、凹状部８，８´が形成されている。このように凹状部８，８´を形成することによって、内部の景品を出し易く出来るだけでなく、嵌合部３，３´の拡がり防止作用を付与させることが出来る。
【００２０】
凹状の収容部５の高さよりも、該凹状の収容部５の縦若しくは横の短辺９を大きく形成することによって、景品収容容器１の変形量を小さく出来るので、嵌合部３，３´の変形を皿により効果的に防止することができる。尚、この実施例では、凹状の収容部５には、縦に長い玩具を横に寝かせて置くようになっているが、横に長い景品の場合は、そのまま置いても良いのは勿論である。
【００２１】
凹状の収容部５の外壁となる景品収容容器外面には、強度を向上させるための縦方向凹条１０が、間隔付けて多数形成されている。凹条１０は、凸条、凸起又は凹部であっても差し支えない。
【００２２】
両嵌合部３，３´は、飲料缶の巻き締め縁１１，１１´に着脱自在に嵌合係止する半リング状凹部１２，１２´と、同半リング状凹部に隣接する凸条部１４，１４´と、同凸条部１４，１４´から下端に向けて拡開する拡開部１３，１３´とを具備し、前記凸条部１４，１４´には、間隔付けて多数の凸起１５が形成されている。
【００２３】
上記図１に示す景品収容容器１には、景品を収容した後、ブリスターの蓋を被せたり、或いは紙を貼着させて覆っても良い。
【００２４】
図３は、半リング状凹部の外周凸条１６，１６´に嵌合する凹条と、前記拡開部との間の凸状部外周の凹条１７，１７´に嵌合する凸条とを内周面に形成したブリスター蓋体１８を、飲料缶２，２´に嵌合した景品収容容器１に着脱し得るように嵌合する例を示す。
【００２５】
このように構成することによって、連結部４，４´の拡がりが更に防止されるから、嵌合部３，３´の拡がりを更に効果的に防止することができる。
【００２６】
この場合は、飲料缶２，２´から外し難くなるので、景品収容容器１の下端の好ましくは長さ方向の一方の端部に、引っ張り片１９を連設すると良い。引っ張り片１９は下端のどの位置に連設しても良く、また蓋体１８に連接しても良い。景品収容容器１と蓋体１８の両方に連設しても良いが、一方を飲料缶から外せば、他方は外れ易くなるので、特に両方に設ける必要は無い。
【００２７】
上記実施例においては、PETシートからの圧空成形法によって、景品収容容器１及び蓋体１８を形成しているが、PETシートの代わりに、ポリ塩化ビニル、ポリプロピレン、ポリスチレン等の種々の合成樹脂シートを使用することも出来る。使用する合成趣旨シートの厚みは、好ましくは０．４ｍｍ〜１．０ｍｍ、特に好ましくは０．５ｍｍ〜０．６ｍｍである。
【図面の簡単な説明】
【００２８】
【図１】本発明の景品収容容器の一実施例を示す斜視図である。
【図２】）図１の裏面斜視図である。
【図３】（A）本発明の景品収容容器の蓋の一実施例を示す斜視図である。（B）本発明の景品収容容器を飲料缶に装着させた状態を示す斜視図である。
【符号の説明】
【００２９】
１………景品収容容器
２，２´………飲料缶
３，３´………嵌合部
４，４´………連結部
５………収容部
８，８´………凹状部
９ ………景品収容容器外面の縦方向凹条
１１，１１´………飲料缶の巻き締め縁
１２，１２´………半リング状凹部
１３，１３´………拡開部
１４，１４´………凸状部
【図１】
2007062743.tif 000003
【図２】
2007062743.tif 000004
【図３】
2007062743.tif 000005